(57)【特許請求の範囲】
【請求項１】
内部に商品を充填した袋を製袋する製袋部と、
該製袋部により製袋された袋の上端部とストリップとを挟持加圧して接着する固着部と、
袋の前記上端部より下方を把持して、前記製袋部から製袋された袋を前記固着部まで斜め下方に移動させる移動部と、
を備えるストリップバッグ装置であって、
前記移動部に把持される袋を前記固着部でストリップに接着するときに前記袋を一定姿勢に支持する保持部材を備えることを特徴とするストリップバッグ装置。
【請求項２】
前記保持部材は、前記固着部の側に備えられており、前記移動部に把持される袋が前記固着部まで移動したときに、袋を一定姿勢に支持することを特徴とする請求項１に記載のストリップバッグ装置。
【請求項３】
前記保持部材は、前記固着部の下方に備えられており、前記移動部に把持される袋の把持部分よりも下側を支持することを特徴とする請求項１又は２に記載のストリップバッグ装置。
【請求項４】
前記保持部材は、前記移動部に把持される袋に当接することにより、又は先行してストリップに接着され、かつ、前記移動部に把持される袋に当接する袋に当接することにより、前記移動部に把持される袋を支持する支持面を備えることを特徴とする請求項２又は３に記載のストリップバッグ装置。
【請求項５】
前記支持面は、ストリップに接着された袋の排出方向に対応する傾斜を有することを特徴とする請求項４に記載のストリップバッグ装置。
【請求項６】
前記保持部材を、袋の排出方向に対して直交する方向で湾曲させることにより、前記支持面には、袋を前記支持面の中央部にセンタリングするガイドとなる谷形状が、袋の排出方向に延びるように形成されていることを特徴とする請求項５に記載のストリップバッグ装置。
【請求項７】
前記支持面の両側には、前記支持面を袋の排出方向の両側から挟む壁形状のガイドが形成されていることを特徴とする請求項５又は６記載のストリップバッグ装置。
【請求項８】
前記支持面は、その幅及び／又は長さが調整可能であることを特徴とする請求項４から７のいずれかに記載のストリップバッグ装置。
【請求項９】
前記支持面は、その傾斜角度が調整可能であることを特徴とする請求項４から８のいずれかに記載のストリップバッグ装置。
【発明の詳細な説明】
【０００１】
【発明の属する技術分野】
本発明は、帯状フィルムをシールして、その内部にポテトチップス等の商品を充填した袋を製袋し、その袋をストリップとともに挟持加圧してストリップに接着するストリップバッグ装置に関する。
【０００２】
【従来の技術】
従来、ポテトチップス等のスナック菓子袋を所定数ストリップに所定間隔で接着して吊り下げた状態で陳列し、客が菓子袋を引っ張って取り外せるようにしたストリップバッグが採用されている。このようなストリップバッグを製造するために、内部に商品が充填された袋を自動製袋して、繰り出されるストリップに対して、順次、袋を挟持加圧して接着させるようにしたストリップバッグ装置が採用されている（例えば、特許文献１〜３参照）。
【０００３】
出願人会社においても、特願平２００２−２５１８４５号公報に記載されるように、帯状フィルムを筒状に形成し、その内部にポテトチップス等の商品を充填した袋を製袋する製袋部と、送り出しローラー部により送り出されたストリップに袋を加圧接着する固着部と、製袋部で製袋された袋を固着部まで移動させる左右一対のアームを有してなる移動部とを備えるストリップバッグ装置が提案されている。
【０００４】
製袋部は、帯状のフィルムを下部及び側面部がシールされた縦方向に延びる筒状体に形成し、この筒状体に上方から商品を落下投入した後、熱シール機構で袋の上部をシールするとともに帯状フィルムから切り離すようになっている。移動部のアームの上部には、袋の側部を把持するための把持部材が設けられており、この把持部材が、製袋された袋が帯状フィルムから切り離される前に、袋の左右両側を把持するようになっている。移動部は、把持部材により袋を把持したままで動作して、袋を製袋部から固着部へ移動させる。
【０００５】
固着部は、高温に熱されるヒーターとこれに押付加圧されるクランプを備えてなり、ヒーター上に繰り出されるストリップと移動部によりストリップ上にセットされる袋の上部とを、ヒーターとクランプの加圧面で挟持加圧して接着する。その後、移動部は、新たに製袋される袋を把持するために製袋部に戻り、固着部では、クランプが開放されて、ストリップが新しく繰り出されて、また同じ動作が繰り返される。
【０００６】
【特許文献１】
特表平９−５０８８７９号公報
【特許文献２】
米国特許第３８６４８９５号公報
【特許文献３】
国際公開第９８／５２８２３号公報
【０００７】
【発明が解決しようとする課題】
ところで、スナック菓子袋等では、袋が動かないように大きな把持部材でしっかり把持させると、内部の商品が押し潰されてしまったり、商品保護のために密封された空気が圧迫されて袋がパンクしたりするおそれがある。そこで、袋を把持する把持部材は、サイズの小さいものを採用したり、把持力を小さめに設定したりするようになっている。
【０００８】
しかしながら、把持部材や把持力を上記のように設定すると、袋を固着部まで移動させたときに生じる慣性力等で袋の下部が揺動したときに、把持部分より上方にある袋の上部も動いてしまうという現象が生じる。その影響で、袋の上部がストリップに対して狙い通りの位置にセットされず、接着位置が一定しない、あるいは、クランプが袋の上端に干渉して、袋を上端から押し潰すような形で接着するという不具合を生じることがあった。
【０００９】
本発明は、斯かる実情に鑑み、接着面となる袋の上部が動かないようにして、接着位置の安定化および袋の潰れを防止するようにしたストリップバッグ装置を提供しようとするものである。
【００１０】
【課題を解決するための手段】
請求項１の発明は、内部に商品を充填した袋を製袋する製袋部と、該製袋部により製袋された袋の上端部とストリップとを挟持加圧して接着する固着部と、袋の前記上端部より下方を把持して、前記製袋部から製袋された袋を前記固着部まで斜め下方に移動させる移動部と、を備えるストリップバッグ装置であって、
前記移動部に把持される袋を前記固着部でストリップに接着するときに前記袋を一定姿勢に支持する保持部材を備えることを特徴とするストリップバッグ装置を提供する。
【００１１】
請求項１の発明によれば、以下のような作用が得られる。製袋部から製袋された袋を固着部まで斜め下方に移動させて、移動部に把持される袋を固着部でストリップに接着するときに袋を一定姿勢に支持する保持部材を備えるので、袋が揺動することが無くなり、ストリップとの接着面となる袋の上端部を動かないようにすることができる。その結果、ストリップに対する接着位置が一定しない、あるいは、クランプが袋の上端部に干渉する等の不具合を防止できる。
【００１２】
請求項２の発明は、前記保持部材は、前記固着部の側に備えられており、前記移動部に把持される袋が前記固着部まで移動したときに、袋を一定姿勢に支持することを特徴とする請求項１に記載のストリップバッグ装置を提供する。
【００１３】
請求項２の発明によれば、請求項１の発明の作用に加えて、以下のような作用が得られる。保持部材を移動部側ではなく固着部側に備えたので、移動部回りの構成を簡素化することができる。
【００１４】
請求項３の発明は、前記保持部材は、前記固着部の下方に備えられており、前記移動部に把持される袋の把持部分よりも下側を支持することを特徴とする請求項１又は２に記載のストリップバッグ装置を提供する。
【００１５】
請求項３の発明によれば、請求項１又は２の発明の作用に加えて、以下のような作用が得られる。袋の把持部分よりも下側を支持することにより、接着面が動く原因となる袋下部の揺動を確実に防止することができる。
【００１６】
請求項４の発明は、前記保持部材は、前記移動部に把持される袋に当接することにより、又は先行してストリップに接着され、かつ、前記移動部に把持される袋に当接する袋に当接することにより、前記移動部に把持される袋を支持する支持面を備えることを特徴とする請求項２又は３に記載のストリップバッグ装置を提供する。
【００１７】
請求項４の発明によれば、請求項２又は３の発明の作用に加えて、以下のような作用が得られる。保持部材を、把持される袋又は先行して接着された袋に当接させるだけであるから、低コストに構成することができ、袋の排出を妨げることがない。
【００１８】
請求項５の発明は、前記支持面は、ストリップに接着された袋の排出方向に対応する傾斜を有することを特徴とする請求項４に記載のストリップバッグ装を提供する。
【００１９】
請求項５の発明によれば、請求項４の発明の作用に加えて、以下のような作用が得られる。支持面を袋の排出方向に対応して傾斜させたので、袋をスムーズに排出することができる。
【００２０】
請求項６の発明は、前記保持部材を、袋の排出方向に対して直交する方向で湾曲させることにより、前記支持面には、袋を前記支持面の中央部にセンタリングするガイドとなる谷形状が、袋の排出方向に延びるように形成されていることを特徴とする請求項５に記載のストリップバッグ装置を提供する。
【００２１】
請求項６の発明によれば、請求項５の発明の作用に加えて、以下のような作用が得られる。ガイドとなる谷形状により袋を排出方向に整列させることができ、袋をよりスムーズに排出することができる。
【００２２】
請求項７の発明は、前記支持面の両側には、前記支持面を袋の排出方向の両側から挟む壁形状のガイドが形成されていることを特徴とする請求項５又は６記載のストリップバッグ装置を提供する。
【００２３】
請求項７の発明によれば、請求項５又は６の発明の作用に加えて、以下のような作用が得られる。壁形状のガイドにより袋を排出方向に確実に整列させることができ、袋をよりスムーズに排出することができる。
【００２４】
請求項８の発明は、前記支持面は、その幅及び／又は長さが調整可能であることを特徴とする請求項４から７のいずれかに記載のストリップバッグ装置を提供する。
【００２５】
請求項８の発明によれば、請求項４から７のいずれかの発明の作用に加えて、以下のような作用が得られる。支持面の幅、長さを調整可能としたので、様々な大きさの袋に対応することができる。
【００２６】
請求項９の発明は、前記支持面は、その傾斜角度が調整可能であることを特徴とする請求項４から８のいずれかに記載のストリップバッグ装置を提供する。
【００２７】
請求項９の発明によれば、請求項４から８のいずれかの発明の作用に加えて、以下のような作用が得られる。支持面の傾斜角度を調整可能としたので、様々な大きさの袋に対応することができるとともに、袋の排出方向も変更することができる。
【００２８】
【発明の実施の形態】
以下、本発明の実施の形態を、添付図面を参照しつつ説明する。
【００２９】
図１〜図５は、発明を実施する形態の一例を示す図であって、図１は、製袋部１で製袋された袋Ｂを移動部３で把持する状態、図２は、固着部２で袋ＢをストリップＳに接着する状態を示す。図３は、図１及び図２の部分拡大図であって、（ａ）は図１に、（ｂ）は図２に対応する。図４は、保持プレート２４回りの斜視図である。図５は、移動部３に備えられる把持部材３２４，３２５を示す斜視図である。
【００３０】
〔ストリップバッグ装置の概要〕
本発明に係るストリップバッグ装置は、図１又は図２に示されるように、製袋部１、固着部２、移動部３、及びストリップ搬送部４を備えてなり、内部に商品が充填された袋Ｂを製袋部１で自動製袋し、袋Ｂを移動部３で把持して固着部２まで移動させ、ストリップ搬送部４から繰り出されるストリップＳに対して、袋Ｂの接着面となる上端部Ｂｕを挟持加圧して接着させるようにしたものである。
【００３１】
〔製袋部１〕
製袋部１は、帯状のフィルムを下方に送り出しながら、側面部及び下部がシールされた縦方向に延びる筒状に形成する。そして、筒状に形成されたフィルムの内部に上方から商品を落下投入して、その上部を熱シール機構１１でシールするとともに帯状フィルムから切り離して、袋Ｂを自動製袋する。熱シール機構１１は、図１又は図２に示されるように、回転部材１１１、付勢部材１１２、シールジョー１１３，１１４を備えてなる。２つの回転部材１１１は、シールジョー１１３，１１４を両端部に備えており、左右対称となるように回転支持軸１１１ａを中心に回転する。
【００３２】
シールジョー１１３と１１４とは、図２に示されるように、ポイントＰ１で出会って袋Ｂの上端を挟持し、付勢部材１１２の付勢力で挟持状態を維持しつつ下方に移動し、図１に示されるように、ポイントＰ２で離れて袋Ｂを下方に排出する。シールジョー１１３，１１４には、袋Ｂの上端とこれに続く袋の下端を熱シールするヒーター、及び上下の袋を切り離すカッターが備えられている。なお、回転支持軸１１１ａは、横方向にスライド自在に設けられており、シールジョー１１３，１１４がＰ１及びＰ２の間にあるときは、付勢部材１１２の付勢力に抗して、外側に逃げるようになっている。
【００３３】
〔固着部２〕
固着部２は、ヒーター２１とクランプ２２とを備えてなる。ヒーター２１は、上面に形成される加圧面２１ａが２００℃程度に加熱されるブロック体である。加圧面２１ａは、後述のストリップ搬送部４から送り出されるストリップＳがスムーズに通過できるように、ストリップＳの進行方向側を低くした傾斜が与えられている。
【００３４】
クランプ２２は、回動支持軸２２ａで揺動自在に支持されるレバー体で、自由端にはヒーター２１の加圧面２１ａに押し付けられる押さえ面２２ｂが形成されており、図１又は図２（二点鎖線）に示される開放位置と、図２（実線）に示される閉鎖位置との間を往復移動する。クランプ２２は、図３に示されるように、閉鎖位置において、ストリップＳと袋Ｂの接着面である上端部Ｂｕとを、ヒーター２１との間で挟持加圧して、ヒーター２１の熱によりストリップＳと袋Ｂを溶着（接着）させる。
【００３５】
ヒーター２１の下方側には、ヒーターブロッカー２３が配設されている。ヒーターブロッカー２３は、図３に示されるように、エアシリンダー２３１の伸縮ロッド２３１ａの先端にブロックプレート２３２を取り付けることにより構成され、ストリップＳを周期的に持ち上げることによりストリップＳをヒーター２１から引き離して、ストリップＳが溶け落ちないようにするものである。
【００３６】
固着部２に袋Ｂがセットされる前は、図１及び図３（ａ）に示されるように、伸縮ロッド２３１ａは伸長している。これにより、ブロックプレート２３２は、その先端部でストリップＳをヒーター２１の加圧面２１ａから引き離す方向に持ち上げて、固着部２に袋Ｂがセットされるまでの間に、ヒーター２１の熱でストリップＳが溶け落ちないように保持することになる。また、固着部２に袋Ｂがセットされた後は、図２及び図３（ｂ）に示されるように、伸縮ロッド２３１ａは短縮される。これにより、ブロックプレート２３２は下方に退避して、ストリップＳは、持ち上げられた状態から、ヒーター２１の加圧面２１ａ上においてクランプ２２で挟持加圧可能な状態にセットされることになる。
【００３７】
ブロックプレート２３２には、図２及び図３（ｂ）に示されるように、移動部３に把持される袋Ｂが製袋部１から固着部２まで移動して上端部Ｂｕが加圧面２１ａ上にセットされたときに、袋Ｂに当接して、袋Ｂを一定姿勢に支持する保持プレート２４（保持部材）が取り付けられている。保持プレート２４は、一枚ものの金属製プレート部材であってブロックプレート２３２から斜め下方に延びる支持面２４ａを有している。支持面２４ａは、移動部３により把持される袋Ｂの把持部分よりも下側を支持する。これにより、袋Ｂを製袋部１から固着部２まで移動させたときに生じる慣性力等により袋Ｂの下部が揺動することが防止され、把持部分より上方にある袋の上端部Ｂｕを動かないように保持するものである。
【００３８】
保持プレート２４は、支持面２４ａが、ストリップＳに接着された袋Ｂが排出される斜め下方（図２における左下方向）に対応する傾斜を有しており、袋Ｂをスムーズに排出することができるようにされている。また、保持プレート２４は、図４に示されるように、袋Ｂの排出方向（矢印Ａ）に対して直交する方向で湾曲している。これにより、支持面２４ａには、袋Ｂを支持面２４ａの中央部にセンタリングするガイドとなる谷形状が、袋Ｂの排出方向に延びるように形成される。さらに、保持プレート２４には、支持面２４ａの両側に、支持面２４ａを排出方向の両側方部から挟む壁形状のガイド２４ｃが、支持面２４ａの全長に亘って形成されている。
【００３９】
〔移動部３〕
移動部３は、図１に示されるように、製袋部１から排出される袋Ｂを把持して固着部２まで移動させ、図２に示されるように、袋Ｂの上端部Ｂｕをクランプ２２の押さえ面２２ｂとヒーター２１の加圧面２１ａとで挟持加圧可能な位置にセットする。移動部３は、製袋部１及び固着部２の左右両側に一対に設けられ、それぞれ固定支持体３１と往復移動体３２と備えてなる。左右の固定支持体３１は、斜めに延びる二本のレール部材３１１の上端部及び下端部が上部支持部材３１２及び下部支持部材３１３で固体されることにより構成され、外側がカバーＣで覆われている。
【００４０】
左右の往復移動体３２は、レール部材３１１にスライド自在に係合されるスライド部材３２１、スライド部材３２１に一端が固定されるアーム３２２、アーム３２２の他端に固定される移動部材３２３、及び移動部材３２３に配設される把持部材３２４及び３２５からなる。スライド部材３２１は、不図示の駆動機構で上下に往復動させられ、それに伴って、移動部材３２３が製袋部１と固着部２の間を往復動する。
【００４１】
把持部材３２４、３２５は、図５に示されるように、それぞれ回動支持軸３２４ａ，３２５ａで回動自在に支持される棒状部材であり、移動部材３２３に内蔵される駆動機構によって、図５（ａ）に矢印で示されるように、左右対称に開閉する。そして、閉じ方向に回動することにより、図５（ｂ）に示されるように、製袋部１から排出される袋Ｂの上下方向の中間部、すなわち袋Ｂの接着面より下方を、左右両側から把持することできる。なお、把持部材３２４、３２５は、袋Ｂの内部に充填された商品を押し潰さないように小さめに形成されており、また、袋Ｂのパンクさせたりすることがないように、比較的小さな荷重で袋Ｂを把持するように設定されている。
【００４２】
把持部材３２４，３２５に形成されて袋Ｂを把持する把持面３２４ｂ，３２５ｂは、図６（ａ）に示されるように、平坦状に形成されているが、斜めにカットされており、加圧面２１ａの傾斜角度に合わせた傾斜が設けられている。したがって、把持部材３２４，３２５で袋Ｂを把持すると、袋Ｂに対する把持部分よりも上方が傾斜させられることとなる。その結果、把持部材３２４，３２５で把持された袋Ｂを固着部２まで移動させると、図６（ｂ）に示されるように、ストリップＳに接着される袋Ｂの上端部Ｂｕが、ヒーター２１の加圧面２１ａに沿わされることとなる。
【００４３】
なお、把持面３２４ｂ，３２５ｂに傾斜がつけられておらず垂直である場合には、袋Ｂの上部も、図６（ｂ）に二点鎖線で示されるように、垂直状態のままで傾斜した加圧面２１ａから離れた状態となるため、保持プレート２４で袋Ｂを揺動しないように支持しても、ストリップＳに対する接着位置にズレが生じたり、袋Ｂの上部がクランプで押し潰されたりする不具合を生じることとなる。
【００４４】
〔ストリップ搬送部４〕
ストリップ搬送部４は、駆動ローラー４１、アイドルローラー４２、送り出しローラー４３、駆動ローラー４１の駆動回転を送り出しローラー４３に伝達する駆動ベルト４４、駆動ベルト４４に押し付けられるテンションローラー４５及び押さえローラー４６を備えてなる。ストリップＳは、駆動ベルト４４とローラー４３，４５により送り出されて、案内部材４７により案内され、ヒーター２１の加圧面２１ａの上側を通過する。
【００４５】
〔ストリップバッグ装置の作動〕
次に、上記した実施の形態の作動を説明する。まず、移動部材３２３は、図１に示されるように製袋部１まで移動して、把持部材３２４，３２５で熱シール機構１１から排出される袋Ｂを左右両側から把持する。把持部材の把持面３２４ｂ，３２５ｂは傾斜させられているため、袋Ｂに対する把持部分の上方も傾斜させられることとなる。次に、移動部材３２３は、図２に示されるように固着部２まで下方移動する。把持部材３２４，３２５による把持力は比較的小さく設定されているため、この移動時において、袋Ｂは把持部分より下方が移動時の慣性力等で揺動する。
【００４６】
しかしながら、傾斜させられた袋Ｂの上端部Ｂｕを、ヒーター２１の加圧面２１ａを通過するストリップＳの上面にセットすると、袋Ｂは把持部分の下方が保持プレート２４で動かないように支持されるため、把持部分の上方にある上端部Ｂｕも動くことはなく、加圧面２１ａに対して正確にセットされることとなる。最後に、クランプ２２が下方に回動して、加圧面２１ａとの間で、袋ＢとストリップＳを挟持加圧し溶着させる。その後、再び移動部材３２３が上方移動して、同じ動作を繰り返すこととなる。
【００４７】
〔ストリップバッグ装置の特徴点〕
本実施形態に係るストリップバッグ装置は、上記のように構成される結果、下記のような特徴点を有している。
【００４８】
第１に、移動部３に把持される袋Ｂを一定姿勢に保持する保持プレート２４を備えるという特徴点を有している。したがって、移動部３の動きによる慣性力等で、袋Ｂが揺動することを防止し、ヒーター２１の加圧面２１ａに対して接着面となる袋Ｂの上端部Ｂｕを動かないようにすることができる。その結果、ストリップＳに対して袋Ｂの接着位置が一定しない、あるいは、クランプ２２が袋Ｂの上端部Ｂｕに干渉して、袋Ｂを押し潰してしまう等の不具合を防止することができる。
【００４９】
第２に、保持プレート２４は、固着部２側のブロックプレート２３に取り付けられているという特徴点を有している。保持プレート２４を移動部３側ではなく、固着部２側に備えたので、移動部３回りの構成を簡素化することができるものである。また、保持プレート２４は、ブロックプレート２３とともに進退するので、ストリップＳの送りを阻害することはない。
【００５０】
第３に、保持プレート２４は、固着部２の下方に備えられており、移動部３による袋Ｂの把持部分よりも下側を支持するという特徴点を有している。したがって、移動部３の動きによる慣性力で把持部分を中心として袋Ｂが揺動する現象が抑えられ、接着面となる上端部Ｂｕの動きが確実に防止されるものである。その結果、ストリップＳに対して袋Ｂの接着位置を一定させることでき、クランプ２２が袋Ｂの上端部Ｂｕに干渉することが防止できるものである。
【００５１】
第４に、保持プレート２４は、移動部３に把持される袋Ｂの下方に側方から当接することにより、袋Ｂを把持するという特徴点を有している。
固着部２側に取り付けられる保持プレート２４に、袋Ｂを当接させるだけとしたので、袋Ｂの保持構造を低コストに構成することができ、袋Ｂのスムーズな排出を妨げたり、故障したりする等の心配がないものである。
【００５２】
第５に、保持プレート２４の支持面２４ａは、ストリップＳに接着された袋Ｂが排出される斜め下方向に対応する傾斜を有するという特徴点を有している。これにより、袋Ｂをスムーズに排出させることができるものである。
【００５３】
第６に、保持プレート２４の支持面２４ａには、袋Ｂを支持面２４ａの中央部にセンタリングするガイドとなる谷形状が、袋Ｂの排出方向に延びるように形成されているという特徴点を有している。これにより、袋Ｂを排出方向の中央部に整列させることができ、袋Ｂをよりスムーズに排出することができるものである。
【００５４】
第７に、保持プレート２４の支持面２４ａの両側には、支持面２４ａを両側方から挟む壁形状のガイド２４ｃが、支持面２４ａの全長に亘って形成されているという特徴点を有している。これにより、袋Ｂをより確実に排出方向に整列させることができ、袋Ｂをよりスムーズに排出することができるものである。
【００５５】
〔上記実施形態の変形例〕
上記実施形態では、保持プレート２４は、一枚ものの金属製プレート部材とされていたが、金属に限らず、樹脂その他の素材で形成しても良い。また、保持プレート２４は、一枚ものに限らず、複数枚の部材から構成してもよく、更に寸法を調整可能としても良い。例えば、図７（ａ）に示されるように、ブロックプレート２３から斜め下方に延びるベースプレート２４１に対し、その両側部にサイドプレート２４２を長穴２４１ａで横方向（矢印Ｄ方向）にスライド自在に取り付けて、支持面２４ａの幅を調整可能としても良い。
【００５６】
あるいは、図７（ｂ）に示されるように、ブロックプレート２３から斜め下方に延びるアッパープレート２４３に対し、その下端側にロアプレート２４４を長穴２４３ａで縦方向（矢印Ｅ方向）にスライド自在に取り付けて、支持面２４ａの長さを調整可能としても良い。さらには、支持面２４ａを幅及び長さの両方が調整可能となるようにしても良い。上記のように、支持面の幅及び／又は長さを調整可能とすることにより、様々な大きさの袋に対応することができるものである。
【００５７】
上記実施形態では、保持プレート２４は、支持面２４ａの傾斜角度が一定とされていたが、調整可能となるように構成しても良い。例えば、図８に示されるように、保持プレート２４及びサポートアーム２４５を、それぞれヒンジ２４ｂ，２４１ｂを介してブロックプレート２３２に支持し、サポートアーム２４５を、保持プレート２４の裏面に複数個形成される係止突起２４６のいずれかに係止させることにより、支持面２４ａの傾斜角度を調整可能としても良い。これにより、様々な大きさの袋に対応することができるとともに、袋の排出方向も変更することができるものである。
【００５８】
上記実施形態では、保持プレート２４を、移動部３に把持される袋Ｂに側方から当接させるようにしたが、把持される袋Ｂに先行してストリップＳに接着された袋に保持プレート２４を側方から当接させて、接着された袋を支持するようにしても良い。接着された袋Ｂを支持することにより、それに当接させられる袋Ｂを支持するものである。
【００５９】
上記実施形態では、固着部２側に設けられるブロックプレート２３に、保持プレート２４を取り付けるようにしたが、ブロックプレート２３以外の部分に固定するようにしても良い。また、保持部材は、固着部２側ではなく、移動部３側に備えるようにしても良い。
【００６０】
上記実施形態では、保持プレート２４を袋Ｂの下部に当接させることにより袋Ｂを支持することとしたが、これに限らず、挟持片で袋Ｂの下部を挟持固定して、袋Ｂを動かないように支持しても良い。
【００６１】
その他、本発明のストリップバッグ装置は、上記した実施の形態に限定されるものではなく、本発明の要旨を逸脱しない範囲内において種々変更を加え得ることは勿論である。
【００６２】
【発明の効果】
本発明に係るストリップバッグ装置によれば、移動部に把持される袋を一定姿勢に支持する保持部材を備えるので、袋が揺動することが無くなり、接着面となる袋の上部が動かないようにすることができる。その結果、ストリップに対する接着位置が一定しない、あるいは、クランプが袋の上端に干渉する等の不具合を防止できるという優れた効果を奏し得るものである。
【図面の簡単な説明】
【図１】本発明に係るストリップバッグ装置の実施形態の一例であって、製袋部で製袋された袋を移動部で把持する状態を示す図。
【図２】固着部で袋をストリップに接着する状態を示す図。
【図３】図１及び図２の部分拡大図であって、（ａ）は図１に、（ｂ）は図２に対応する図。
【図４】保持プレート回りの斜視図。
【図５】移動部に備えられる把持部材を示す斜視図。
【図６】把持部材の拡大図。
【図７】保持プレートの変形例を示す図。
【図８】保持プレートの別の変形例を示す図。
【符号の説明】
１    製袋部
２    固着部
３    移動部
４    ストリップ搬送部
２１    ヒーター
２２    クランプ
２３    ヒーターブロッカー
２４    保持プレート（保持部材）
２４ａ  支持面
２４ｃ  ガイド
２３２  ブロックプレート
３２４  把持部材
３２５  把持部材
Ｂ    袋
Ｂｕ    上端部
Ｓ    ストリップ
【要約】【課題】接着面となる袋の上部が動かないようにして、接着位置の安定化および袋の潰れを防止するようにしたストリップバッグ装置を提供する。
【解決手段】内部に商品を充填した袋を製袋する製袋部（１）と、製袋部（１）により製袋された袋（Ｂ）の上部とストリップ（Ｓ）とを挟持加圧して接着する固着部（２）と、袋（Ｂ）の接着面より下方を把持して、製袋部（１）から固着部（２）まで移動させる移動部（３）とを備えるストリップバッグ装置において、移動部（３）に把持される袋（Ｂ）を一定姿勢に支持する保持プレート部材（２４）を備えるようにした。【図１】
0003602527.tif 000002
【図２】
0003602527.tif 000003
【図３】
0003602527.tif 000004
【図４】
0003602527.tif 000005
【図５】
0003602527.tif 000006
【図６】
0003602527.tif 000007
【図７】
0003602527.tif 000008
【図８】
0003602527.tif 000009